(57)【要約】【課題】本発明の第1の目的は非磁性及び強導電性を有する硬貨を確実に選別できる硬貨選別装置を安価に提供すること、第2の目的は非磁性及び強導電性を有し、かつ周面にギザを有する硬貨を確実に選別できる硬貨選別装置を安価に提供することである。【解決手段】硬貨の移動通路の側方に配置した磁性体によって、移動通路を移動する硬貨内に渦電流を発生させて当該磁性体に対し反発する向きの磁力を生じさせる。この逆向きの磁力によって、磁性体は同方向に回動されるので、当該回動に連動して移動ガイドレールを移動通路に進出させる。正貨は、当該移動ガイドレール上を転動し、正貨として受け入れられる。強導電性を有しない偽貨等は反発磁力が生じないので移動ガイドレールが移動通路に進出しないことにより移動ガイドレール上を転動できないことにより選別される。【選択図】図１
2011145741.tif 000002
【特許請求の範囲】
【請求項１】
投入口(102)に投入された非磁性及び強導電性を有する硬貨(C)を、クレードル(104)によって真正の直径及び重量を有する硬貨のみを横方向に転向させて当該クレードルの下流に位置する一対の垂立案内面(140、141)により構成される移動通路(106)に案内した後、それら垂立案内面の間に進退可能な移動ガイド(110)によって所定方向に案内し、又は案内しないことにより正貨と偽貨とに選別する硬貨選別装置において、
前記クレードルの下流であって、かつ、前記移動ガイドの上流に相対する前記移動通路の側方に前記クレードル側から前記移動ガイド側へ向かって前記移動通路に沿って移動可能な磁性体(112)、及び
前記磁性体と前記移動ガイドとの連動機構(114)を設け、
前記移動ガイドは前記磁性体の前記移動通路に沿う前記クレードル側から前記移動ガイド側へ向かう移動によって前記連動機構を介して前記移動通路に進行して前記投入硬貨を所定方向に案内して選別することを特徴とする
硬貨選別装置。
【発明の詳細な説明】
【技術分野】
【０００１】
本発明は、投入された硬貨を正貨と偽貨に選別するための硬貨選別装置に関する。
特に、非磁性及び強導電性を有する硬貨を選別するための硬貨選別装置に関する。
詳しくは、米国25セント硬貨を選別するための硬貨選別装置に関する。
なお、本明細書で使用する「硬貨」は、通貨のコイン、トークン又はメダル等を含み、形状は円形、多角形を含んでいる。
【背景技術】
【０００２】
米国の25セント硬貨は、扁平円形銅板を真鍮で被覆することにより構成され、所謂クラッド構造を有し、周面にはギザが形成されている。したがって、米国25セント硬貨は、物理的には非磁性かつ強導電性を有する。
第１の従来技術として知られている、クレードルを有し、当該クレードルの下流に磁石を配置した硬貨選別装置を米国25セント硬貨の選別装置として、採用することができる（特許文献１参照）。
また、第2の従来技術として知られている、硬貨が磁性を有する場合、硬貨通路の側方に磁石を配置し、当該磁石が当該磁性体に吸引されることを利用して硬貨のガイドを当該硬貨の移動通路に進出させ、正貨を当該移動通路に進出したガイドによって案内させることにより選別する硬貨選別装置を採用することができる(例えば、特許文献2参照)。
【先行技術文献】
【特許文献】
【０００３】
【特許文献１】特開平6-176250（段落番号0007〜0038、図1〜5）
【特許文献２】特開2003-196702（段落番号0007〜0047、図1〜5）
【発明の概要】
【発明が解決しようとする課題】
【０００４】
第１の従来技術は、主に直径及び重量に基づいて正貨と偽貨とに選別するので、安価な真鍮板によって正貨と同一直径及び同一重量に製造された偽貨を選別することが出来ない。
換言すれば、安価な真鍮板によって作成された偽貨を、真正米国25セント硬貨として受け入れてしまう問題がある。
第2の従来技術においては、米国25セント硬貨を選別することができない。
その理由は、米国25セント硬貨は磁性を有していないからである。
総括すれば、非磁性及び強導電性を有する硬貨を安価な機構で確実に選別できる硬貨選別装置は存在しなかった。
【０００５】
本発明の第1の目的は、非磁性及び強導電性を有する硬貨を確実に選別できる硬貨選別装置を安価に提供することである。
本発明の第2の目的は、非磁性及び強導電性を有し、かつ周面にギザを有する硬貨を確実に選別できる硬貨選別装置を安価に提供することである。
本発明の第3の目的は、装置が傾けられた場合であっても、非磁性及び強導電性を有する硬貨を確実に選別できる硬貨選別装置を安価に提供することである。
【課題を解決するための手段】
【０００６】
この目的を達成するため、請求項１の発明にかかる硬貨選別装置は次のように構成されている。
投入口に投入された非磁性及び強導電性を有する硬貨を、クレードルによって真正の直径及び重量を有する硬貨のみを横方向に転向させて当該クレードルの下流に位置する一対の垂立案内面により構成される移動通路に案内した後、それら垂立案内面の間に進退可能な移動ガイドによって所定方向に案内し、又は案内しないことにより正貨と偽貨とに選別する硬貨選別装置において、前記クレードルの下流であって、かつ、前記移動ガイドの上流に相対する前記移動通路の側方に前記クレードル側から前記移動ガイド側へ向かって前記移動通路に沿って移動可能な磁性体、及び前記磁性体と前記移動ガイドとの連動機構を設け、前記移動ガイドは前記磁性体の前記移動通路に沿う前記クレードル側から前記移動ガイド側へ向かう移動によって前記連動機構を介して前記移動通路に進行して前記投入硬貨を所定方向に案内して選別することを特徴とする硬貨選別装置である。
【０００７】
本発明の第１の好ましい実施態様は、投入口に投入された非磁性及び強導電性を有する硬貨を、クレードルによって真正の直径及び重量を有する硬貨のみを横方向に転向させて当該クレードルの下流に位置する一対の垂立案内面により構成される移動通路に案内した後、それら垂立案内面の間に進退可能な移動ガイドによって所定方向に案内し、又は案内しないことにより正貨と偽貨とに選別する硬貨選別装置において、前記クレードルの下流であって、かつ、前記移動ガイドの上流に相対する前記移動通路の側方に前記クレードル側から前記移動ガイド側へ向かって前記移動通路に沿って移動可能な磁性体、及び前記磁性体と前記移動ガイドとの連動機構を設け、前記移動ガイドは前記磁性体の前記移動通路に沿う前記クレードル側から前記移動ガイド側へ向かう移動によって前記連動機構を介して前記移動通路に進行して前記投入硬貨を所定方向に案内して選別し、さらに、前記移動ガイドの下流の移動通路にギザ検出装置、次いで前記移動通路に進退自在であって、通常は前記移動通路に位置する硬貨ストッパを順に設け、前記ギザ検出装置のギザ検出に連動して前記硬貨ストッパを前記移動通路から退出させ、前記ギザ検出装置がギザを検出しない場合前記硬貨ストッパは前記移動通路に継続して位置することを特徴とする硬貨選別装置である。
【０００８】
本発明の第2の好ましい実施態様は、投入口に投入された非磁性及び強導電性を有する硬貨を、クレードルによって真正の直径及び重量を有する硬貨のみを横方向に転向させて当該クレードルの下流に位置する一対の垂立案内面により構成される移動通路に案内した後、それら垂立案内面の間に進退可能な移動ガイドによって所定方向に案内し、又は案内しないことにより正貨と偽貨とに選別する硬貨選別装置において、前記クレードルの下流であって、かつ、前記移動ガイドの上流に相対する前記移動通路の側方に前記クレードル側から前記移動ガイド側へ向かって前記移動通路に沿って移動可能な磁性体、及び前記磁性体と前記移動ガイドとの連動機構を設け、前記移動ガイドは前記磁性体の前記移動通路に沿う前記クレードル側から前記移動ガイド側へ向かう移動によって前記連動機構を介して前記移動通路に進行して前記投入硬貨を所定方向に案内して選別し、さらに、前記移動ガイドの下流の移動通路にギザ検出装置、次いで前記移動通路に進退自在であって、通常は前記移動通路に位置する硬貨ストッパを順に設け、前記ギザ検出装置のギザ検出に連動して前記硬貨ストッパを前記移動通路から退出させ、前記ギザ検出装置がギザを検出しない場合前記硬貨ストッパは前記移動通路に継続して位置され、前記硬貨ストッパは固定軸を支点に回動可能な回動体に一体に形成され、前記ギザ検出装置は前記回動体に一部を係止され、先端は前記移動通路を転動する硬貨の上端部に相対する位置に配置された板状体により構成され、前記ギザ検出装置は前記板状体の先端が前記硬貨のギザに係合することにより前記板状体が押動されて前記回動体を回動させることにより前記硬貨ストッパを前記移動通路から退出させ、かつ投入硬貨がギザを有しない場合前記硬貨ストッパは前記移動通路に保持されて前記投入硬貨の進行を阻止することを特徴とする硬貨選別装置である。
【０００９】
本発明の第3の好ましい実施態様は、投入口に投入された非磁性及び強導電性を有する硬貨を、クレードルによって真正の直径及び重量を有する硬貨のみを横方向に転向させて当該クレードルの下流に位置する一対の垂立案内面により構成される移動通路に案内した後、それら垂立案内面の間に進退可能な移動ガイドによって所定方向に案内し、又は案内しないことにより正貨と偽貨とに選別する硬貨選別装置において、前記クレードルの下流であって、かつ、前記移動ガイドの上流に相対する前記移動通路の側方に前記クレードル側から前記移動ガイド側へ向かって前記移動通路に沿って移動可能な磁性体、及び前記磁性体と前記移動ガイドとの連動機構を設け、前記移動ガイドは前記磁性体の前記移動通路に沿う前記クレードル側から前記移動ガイド側へ向かう移動によって前記連動機構を介して前記移動通路に進行して前記投入硬貨を所定方向に案内して選別し、前記磁性体は固定軸に回動自在に支持され、前記移動通路の傾きに応じて重力により水平線に対し垂下した位置に保持され、前記連動機構も前記固定軸に回動自在に支持された揺動レバーに取り付けられ、前記磁性体と前記連動機構との相対位置関係が保持されることを特徴とする硬貨選別装置である。
【００１０】
本発明の第4の好ましい実施態様は、投入口に投入された非磁性及び強導電性を有する硬貨を、クレードルによって真正の直径及び重量を有する硬貨のみを横方向に転向させて当該クレードルの下流に位置する一対の垂立案内面により構成される移動通路に案内した後、それら垂立案内面の間に進退可能な移動ガイドによって所定方向に案内し、又は案内しないことにより正貨と偽貨とに選別する硬貨選別装置において、前記クレードルの下流であって、かつ、前記移動ガイドの上流に相対する前記移動通路の側方に前記クレードル側から前記移動ガイド側へ向かって前記移動通路に沿って移動可能な磁性体、及び前記磁性体と前記移動ガイドとの連動機構を設け、前記移動ガイドは前記磁性体の前記移動通路に沿う前記クレードル側から前記移動ガイド側へ向かう移動によって前記連動機構を介して前記移動通路に進行して前記投入硬貨を所定方向に案内して選別し、さらに、前記移動ガイドの下流の移動通路にギザ検出装置、次いで前記移動通路に進退自在であって、通常は前記移動通路に位置する硬貨ストッパを順に設け、前記ギザ検出装置のギザ検出に連動して前記硬貨ストッパを前記移動通路から退出させ、前記ギザ検出装置がギザを検出しない場合前記硬貨ストッパは前記移動通路に継続して位置し、前記磁性体は固定軸に回動自在に支持され、前記移動通路の傾きに応じて重力により水平線に対し垂下した位置に保持され、前記連動機構も前記固定軸に回動自在に支持された揺動レバーに取り付けられ、前記磁性体と前記連動機構との相対位置関係が保持されることを特徴とする硬貨選別装置である。
【００１１】
本発明の第5の好ましい実施態様は、請求項1又は第1〜4の好ましい実施形態において、硬貨投入口の近傍の硬貨通路の側方に永久磁石を配置することが好ましい。
【００１２】
本発明の第6の好ましい実施態様は、請求項1又は第1〜4の好ましい実施形態において、前記磁性体が離隔装置によって前記移動通路との距離を調整可能であることが好ましい。
【発明の効果】
【００１３】
本発明において、非磁性及び強導電性を有する硬貨を投入口に投入した場合、クレードルによって直径及び重量に基づく選別が行われる。
すなわち、小径の偽貨はクレードルに支えられずに下方へ落下し、所定の重量を有さない偽貨はクレードルを回動させることができないので偽貨として選別される。
正貨は、クレードルによって支えられ、かつ、クレードルに所定のモーメントを作用させる。これによりクレードルは横方向に転向させられ、クレードルに支えられた正貨は当該クレードルの下流に前記コインの厚みよりも僅かに広い間隔で並列状態に垂立された一対の垂立案内面により硬貨の側面を案内する移動通路に移動させられる。
移動通路において、正貨は前下がりに傾斜する固定ガイドレール上を転動する。
この固定ガイドレール上を転動する正貨は、側方に配置されている磁性体からの磁力によって強導電性材料部に内部起電力が発生し、渦電流が生じる。
この渦電流によって、正貨周囲に電磁力が生じる。この電磁力は磁性体の磁力に対し反発しあう性質を有する。結果として、磁性体は正貨から発せられる電磁力との間で反発力を受け、正貨の移動によって押しやられる。換言すれば、正貨よりも僅かに先行して正貨の移動方向と同方向へ移動される。この磁性体の正貨の移動方向と同方向の移動によって、連動機構を介して前記固定ガイドレールの下流に移動ガイドレールが移動させられる。これにより、正貨は固定ガイドレールに続いて移動ガイドレール上を転動し、正貨として受け入れられる。
直径及び重量が正貨と同様であって、かつ磁性を有する偽貨は、磁性体に吸着されて移動通路に保持され、移動ガイドレールへ移動することができずに選別される。
直径及び重量が正貨と同様であって、かつ弱・中導電性を有する偽貨は、内部起電力、したがって発生磁力が小さく、磁性体は転動する偽貨によって所定量以上移動されない。
これにより、移動ガイドレールは連動機構を介して移動通路のガイド位置へ移動されない。
この場合、硬貨は移動ガイドレールが進出すべき位置において落下して偽貨として選別される。
【００１４】
第１の好ましい実施態様においては、前記請求項1の発明の構成に加え、ギザ検出手段と硬貨ストッパを備えている。
硬貨ストッパは、通常、移動ガイドの下流の硬貨通路に位置し、硬貨の転動を阻止する。ギザ検出手段は硬貨のギザを検出した場合、硬貨ストッパは移動通路から退出させられる。換言すれば、ギザを有する正貨は硬貨ストッパにより移動を阻止されることなく転動でき、ギザを有しない偽貨は硬貨ストッパにより転動を阻止されて選別される。
したがって、請求項1の発明の作用及び効果に加え、正貨がギザを有する場合、当該ギザの有無によっても真偽判別されるので、選別精度が向上する利点がある。
【００１５】
第2の好ましい実施態様においては、第１の好ましい実施態様におけるギザ検出手段が板状体であって、その先端が移動通路に位置し、他端は回転体に係合され、当該回転体に硬貨ストッパが一体に形成されている。
この構成により、請求項１及び第1の好ましい実施態様の作用、効果に加え、ギザ検出手段が簡単な構成であるため、安価に製造できる利点がある。
【００１６】
第3の好ましい実施態様においては、請求項1の発明において、磁性体は固定軸に対し重力により回動自在に支持されている。
この構成により、硬貨選別装置自体が移動通路を前下がりにさらに傾けられた場合、磁性体は装置本体とは独立して回動する。換言すれば、磁性体と移動ガイドレールとの連動関係に変化を及ぼさない。これにより、故意に硬貨選別装置を傾けられた場合であっても、誤選別することなく正貨と偽貨とを選別することが出来る利点がある。
【００１７】
第4の好ましい実施態様においては、第1の好ましい実施態様において、磁性体及び連動機構は同一の固定軸に対し重力により回動自在に支持されている。
この構成により、硬貨選別装置自体が移動通路を前下がりにさらに傾けられた場合、装置本体とは独立して回動する。換言すれば、磁性体と移動ガイドレールとの連動関係に変化を及ぼさない。これにより、故意に硬貨選別装置を傾けられた場合であっても、誤選別することなく正貨と偽貨とを選別することが出来る利点がある。
【００１８】
第5の好ましい実施態様においては、請求項1の発明又は第1〜4の好ましい実施態様において、硬貨の投入口の近傍に永久磁石が配置されている。
強磁性材料からなる偽貨は、この磁石に吸着されてクレードルに達することができない。したがって、強磁性材料からなる偽貨を確実に選別できる利点がある。
【００１９】
第6の好ましい実施態様においては、磁性体が離隔装置によって移動通路との距離が調整可能である。したがって、この距離を調整することによって磁性体を最適位置に配置することができ、安定した選別をすることができる利点がある。
【図面の簡単な説明】
【００２０】
【図１】図1は、本発明の実施例1に係る硬貨選別装置の右前上方からの斜視図である。
【図２】図2は、本発明の実施例1に係る硬貨選別装置の右後上方からの斜視図である。
【図３】図3は、本発明の実施例1に係る硬貨選別装置の左後上方からの斜視図である。
【図４】図4は、本発明の実施例1に係る硬貨選別装置の右側面図である。
【図５】図5は、本発明の実施例1に係る硬貨選別装置の左側面図である。
【図６】図6は、図5において硬貨を返却口に戻すためドアプレートを取り外した状態の左側面図である。
【図７】図7は、図4におけるＸ―Ｘ線断面図である。
【図８】図8は、ドアプレートをキャンセル位置に移動させた状態の図7と同様の断面図である。
【図９】図9は、本発明の実施例1に係る硬貨選別装置のクレードルの作用説明図である。
【図１０】図10は、図4におけるＺ―Ｚ線断面図である(待機状態)。
【図１１】図11は、図4におけるＺ―Ｚ線断面図である(正貨通過時)。
【図１２】図12は、図4におけるＹ―Ｙ線断面図である(待機状態)。
【図１３】図13は、図4におけるＹ―Ｙ線断面図である(正貨通過時)。
【図１４】図14(Ａ)は、図4におけるＶ―Ｖ線断面図、14(Ｂ)は縦断面図である。
【図１５】図15(Ａ)は、本発明の実施例1に係る硬貨選別装置の磁性体等の分解斜視図、15(Ｂ)は磁性体の作用説明図である。
【図１６】図16は、本発明の実施例1に係る硬貨選別装置において硬貨が投入口近傍において停滞した状態の斜視図である。
【図１７】図17は、本発明の実施例1に係る硬貨選別装置におけるギザ検出手段の斜視図である。
【図１８】図18は、本発明の実施例1に係る硬貨選別装置において正貨がクレードルを通過した直後の作用説明図である。
【図１９】図19は、本発明の実施例1に係る硬貨選別装置において硬貨選別装置が傾けられた後の作用説明図である。
【図２０】図20は、実施例1に係る硬貨選別装置におけるギザ検出装置及び硬貨ストッパの作用説明図である。
【図２１】図21は、実施例1に係る硬貨選別装置におけるギザ検出装置及び硬貨ストッパの作用説明図である(正貨の場合)。
【図２２】図22は、実施例1に係る硬貨選別装置におけるギザ検出装置及び硬貨ストッパの作用説明図である(正貨の場合)。
【図２３】図23は、実施例1に係る硬貨選別装置におけるギザ検出装置及び硬貨ストッパの作用説明図である(正貨の場合)。
【図２４】図24は、実施例1に係る硬貨選別装置におけるギザ検出装置及び硬貨ストッパの作用説明図である(偽貨の場合)。
【図２５】図25は、実施例2に係る硬貨選別装置の右側面図である。
【図２６】図26は、実施例2に係る硬貨選別装置の一部分解斜視図である。
【発明を実施するための形態】
【実施例１】
【００２１】
本実施例1は、非磁性及び強導電性を有する硬貨Cとしての米国の25セント硬貨を選別するための硬貨選別装置100である。米国25セント硬貨は、銅が真鍮によりクラッドされているので、非磁性であると共に強導電性を有する。
しかし、硬貨Cに限らず同様構造のトークン等の代用硬貨も選別対象にすることができる。
【００２２】
硬貨選別装置100は、少なくとも硬貨Cの投入口102、クレードル104、硬貨Cの移動通路106、固定ガイドレール108、移動ガイドレール110、磁性体112、連動機構114、正貨口116及び正貨センサ118を含み、更に、ギザ検出手段120及び硬貨ストッパ121を含んでいることが好ましい。
【００２３】
まず投入口102が図1を参照して説明される。
本実施例1では投入口102が2つ並置されているが、一方のみでも良いので硬貨選別装置100は一方のみ図示してある。
投入口102は、縦長矩形のスリット状であって、選別すべき硬貨Cが投入される機能を有する。また、投入口102は幅及び高さを正貨よりも僅かに大きく形成されることにより、正貨よりも幅が広い又は直径が大きい偽貨FCを選別する機能を有する。
投入口102は、垂立する矩形平板状のフロントプレート122の上部中央に形成されている。フロントプレート122は選別性能に影響を与えないように非磁性材料により形成される。
中間にはキャンセルのための押しボタン式のキャンセルボタン124がフロントプレート122に対し直交方向、換言すれば横方向に進退自在に設けられている。
フロントプレート122の下部には縦長スリット形の返却口126が形成されている。U字形の硬貨ホルダ128がフロントプレート122に固定され、返却口126の下部前方に配置されている。
硬貨ホルダ128は返却された硬貨Cをその後端が返却口126に残存した状態で停止させる機能を有する。換言すれば、返却された硬貨Cは硬貨ホルダ128に転動を阻止され、て立った状態で静止される。
【００２４】
硬貨選別装置100は、主にフロントプレート122、キャンセルボタン124、本体プレート132、及びキャンセルドア134、によって構成される。
【００２５】
まず、本体プレート132を説明する。
本体プレート132は、硬貨選別装置100の構成部品が取り付けられる機能及び移動通路106を画定する機能を有する。
本体プレート132は、非磁性材料、例えば樹脂により平面視L形に成形され、短辺部136及び側面視大凡五角形の長辺部138を有し、短辺部136がフロントプレート122の背面に固定されている。
長辺部138はほぼ垂立し、キャンセルドア134に相対する面が第1垂立案内面140を構成する(図7参照)。
【００２６】
次にクレードル104が主に図6を参照して説明される。
クレードル104は、硬貨Cの直径及び重量によって正貨TCと偽貨FCとを選別する機能を有する。
本実施例1のクレードル104は、固定軸142、クレードル体144、直径規制体146(図9参照)及び重り148を含んでいる。
【００２７】
固定軸142は、投入口102近傍のキャンセルドア134の背面に対し横向きに突出形成されている。
クレードル体144は、レバー152の先端を直角に本体プレート134側に折曲された支持片154を有し、その中間において固定軸142にブッシュ156を介して回動自在に支持されている。
支持片154の先端は、キャンセルドア134及び本体プレート132に形成された弧状の開口156、157を貫通している。
図9に示すように、直径規制体146は円筒形であって、第2垂立案内面141に接し、かつ固定軸142に密に外装され、その周面と支持片154との間に正貨TCの直径よりも僅かに小さい間隔G1を形成する。
具体的には、25セント硬貨の直径26ミリよりも僅かに小さい間隔G1が形成されている。
直径規制体146の下面は面取りされて平面160が形成されている。
支持片154と平面160の間隔G2は、正貨TCの直径よりも僅かに大きく設定されている。したがって、図9(C)に図示するように支持片154が平面160に相対する位置に回動した場合、正貨TCは自重によって支持片154上から左方向へ、転がり落ちることができる。
【００２８】
重り148は支持片154に対し固定軸142を挟んだ反対側のクレードル体144の側面に固定され、硬貨Cが支持片154と直径規制体146に支持されない場合、クレードル片144に対し図9において時計方向の回動力を付与している。
クレードル体144は、第2垂立案内面141に固定されたクレードルストッパ150によってその回動を阻止され、クレードル待機位置CSPに保持される。
支持片154と直径規制体146との間に所定重量の硬貨Cが載置された場合、図9において反時計方向のモーメントが作用し、クレードル体144は反時計方向に回動される。
換言すれば、25セント正貨TCが直径規制体146と支持片154との間に載置された場合、クレードル体144は図6において時計方向に回動される。しかし、正貨TCよりも小径の偽貨FCは支持片154と直径規制体146との間に支持されずにそれらの間を通って下方へ落下し、また正貨Cよりも軽量の偽貨FCはクレードル体144を回動させることができないことにより正貨TCと偽貨FCとの選別が行われる。
クレードルストッパ150の上面は、投入口102から支持片154までを前下がりの斜面で結ぶ投入案内レール161に形成される。よって、投入口102に投入された硬貨Cは、投入案内レール161上を転動してクレードル104に案内される。
【００２９】
次に硬貨Cの移動通路106が主に図6、10を参照して説明される。
移動経路106は、硬貨Cを案内する機能を有する。
移動経路106は、本体プレート132及びキャンセルドア134によって構成され、投入口102に続いてほぼ垂立する平板状の空間である。
本体プレート132の側面である第1垂立案内面140は、投入口102の垂立側縁の一方に、キャンセルドア134の側面である第2垂立案内面141は投入口102の他の垂立側縁に連続して配置されている。
これにより、投入口102に投入された硬貨Cは、通常、第1垂立案内面140と第2垂立案内面141とに側面を案内されつつ移動通路106を移動する。
【００３０】
次にキャンセルドア134を主に図1、3及び9を参照して説明する。
キャンセルドア134は移動通路106の一側面を画定する機能を有すると共にクレードル104等移動通路106においてジャムした硬貨Cをキャンセル通路222へ落下させる機能を有する。
キャンセルドア134は、非磁性体、例えば樹脂により一体成形され、側面視五角形をし、その上端部の軸受162が本体プレート132の反移動通路106側上端部に形成された軸受164a、164bに支持された軸166に回動自在に支持されている。
キャンセルドア134は、その上端部から横方向下向きに突出するよう一体に形成され、本体プレート132の開口170を貫通してその下端部が本体プレート132の裏面に延在するアーム168に作用するワイヤ状のスプリング169によって、本体プレート132に向かって所定の回動力を付与される。
キャンセルドア134は、本体プレート132からキャンセルドア134に向かって横向きに突出するピン172(図8参照)を当該本体プレート132に突き当てることによって正貨Cよりも僅かに大きい間隔で第1垂立案内面140に対し第2垂立案内面141が相対される。
第1垂立案内面140に相対するキャンセルドア134の面が第2垂立案内面141である。
スプリング169によって、第1垂立案内面140と第2垂立案内面141とは平行状態に弾性的に保持される。
したがって、投入口102の下流に続く移動通路106にクレードル104が配置される。
【００３１】
投入案内レール161はスクリュウ173によって本体プレート132から横向きに突出している。
投入案内レール161はその上面が前下がりに傾斜し、投入口102に投入された硬貨Cをクレードル104に案内する機能を有する。換言すれば、投入口102に投入された硬貨Cは投入案内レール161を転動した後、クレードル104に達する。
【００３２】
次に固定ガイドレール108が主に図6を参照して説明される。
固定ガイドレール108は、クレードル104によって移動された硬貨Cを転動させつつ所定の方向に案内する機能を有する。
固定ガイドレール108は、キャンセルドア134の固定軸142の下方において、本体プレート132から横向きに突出し、投入口102から遠ざかるにつれて下方に位置する前下がりの固定転動面174によって構成される。すなわち、固定ガイドレール108は移動通路106の一部の下面を画定する。
換言すれば、クレードル104によって移動された直径及び重量が正貨TCと判別された硬貨Cが固定転動面174上を投入口102から遠ざかる方向に自重によって転動する。
【００３３】
次に移動ガイドレール110が主に図2及び4を参照して説明される。
移動ガイドレール110は、固定ガイドレール108の直ぐ下流に配置され、固定ガイドレール108を転動してきた正貨TCを所定方向へガイドし、偽貨FCを固定ガイドレール108の下流端から落下させる機能を有する。
換言すれば、移動ガイドレール110は、通常は移動通路106の外方の待機位置SP(図12参照)に位置し、正貨TCが固定ガイドレール108上を転動する場合、当該正貨TCによって間接的に固定ガイドレール108の下流側延長上のガイド位置GP(図13参照)に位置させられ、真正コインTCが転動可能になる。
【００３４】
移動ガイドレール110は、本体プレート132の反移動通路106側に形成した一対の軸受176a、176bに、その下端部から本体プレート132と平行に左右側方に突出する軸部178をそれぞれ回動自在に支持されている。
移動ガイドレール110は、断面が横向きチャンネル形であって、上側の先端部上を正貨TCが転動する移動転動面182に構成されている。
移動ガイドレール110は、通常、自己モーメントによって図12において反時計方向のモーメントが生じるよう設定されている。
このモーメントにより、移動転動面182は移動通路106の外の待機位置SPに保持される。
換言すれば、移動ガイドレール110の下端部184が、本体プレート132の裏面によって係止され、移動転動面182が本体プレート132に形成された開口185に位置する待機位置SPに保持される。
しかし、固定ガイドレール108上を正貨TCが転動した場合、移動ガイドレール110は磁性体112及び連動機構114を介して移動通路106に移動され、移動転動面182は移動通路106の下面を画定する。
これにより、正貨TCは固定転動面174に続いて移動転動面182上を転動して案内される。
【００３５】
移動転動面182は、移動通路106に進行したガイド位置GPに位置する場合、本体プレート132から離れる方向にしたがって下方に位置する下向き面に形成されている。
移動ガイドレール110の投入口102側の反移動通路106側の一部が切り欠かれ、被動縁180が形成されている。被動縁180は、本体プレート132の反移動通路106側において大凡本体プレート132と平行に投入口102側へ向かって所定長延在する。連動機構114の位置が変動しても連動機構114によって押動可能にするためである。
【００３６】
次に磁性体112が主に図4及び15を参照して説明される。
磁性体112は、正貨TCが固定ガイドレール108上を転動した場合、当該正貨TCと同方向へ移動され、連動機構114を介して移動ガイドレール110をガイド位置GPに移動させる機能を有する。
磁性体112は、本体プレート132の背面側において横向きに突出する第2固定軸186に揺動自在に上端を支持された揺動レバー188と、当該揺動レバー188の下端部に固定された永久磁性体192とにより構成されている。
永久磁性体192は、図15(B)に図示するように、一対の永久磁石190a、190bを一枚の磁性板191に貼り付けることにより構成されている。
永久磁性体192は、揺動レバー188の中間に形成された横向きの保持穴193に挿入され接着等により固定される。
したがって、通常、揺動レバー188は重力によって垂下位置に静止される。揺動レバー188が垂下した場合、永久磁性体192は固定ガイドレール108上方の移動通路108に相対する。
この構成によって、磁性板191によって一体化された永久磁石190a、190bの磁界Bは、移動通路106内に及ぶ。
永久磁性体192は、固定ガイドレール108上方の移動通路106に対し本体プレート132を挟んで相対配置されている。
正貨FCが固定ガイドレール108上を転動した場合、永久磁性192の磁界Bは当該正貨FCの強導電体SBに作用する。
この磁界Bによって、強導電体SB内に内部起電力が発生し、渦電流が流れ、この渦電流によって正貨FC周囲にも磁界CBが出現する。この磁界CBは、永久磁性体192によって発生するので、永久磁性体192の磁性に対して逆向きの磁性を有する。
換言すれば、磁性体112の磁性と反対の磁性を正貨FCは有するので、磁性体112は正貨FCから押動力を受ける。
これによって、磁性体192は転動する正貨FCによって同方向へ移動される。
換言すれば、揺動レバー188は正貨FCの移動につれて同方向へ所定量回動される。揺動レバー188に作用する自己モーメントが正貨FCによる押動力を上回った場合、揺動レバー188は垂下位置を保とうとして逆向きに揺動し、最終的に垂下位置に静止する。
【００３７】
次に連動機構114が主に図2及び4を参照して説明される。
連動機構114は、磁性体112の所定量の移動によって移動ガイドレール110をガイド位置GPに移動させる機能を有する。
本実施例1において連動機構114は、押動片194、連動被動片196、連動押動片198を含んでいる。
【００３８】
まず押動片194を説明する。
押動片194は、揺動レバー188の下端から下向きに突出して形成されている。押動片194は、連動被動片196を押動する機能を有する。
正貨TCの固定ガイドレール108上の転動によって、磁性体112、したがって揺動レバー188が図4において反時計方向へ所定量回動され、押動片194が連動被動片196を所定量押動する。これによって、連動押動片198は被動縁180を所定量押すので、移動ガイドレール108がガイド位置GPへ移動される。
正貨FCが通過した後、揺動レバー188は重力によるモーメントによって垂下位置に静止し、次の硬貨Cの投入に備える。これにより、移動ガイドレール110は自己モーメントにより待機位置SPに戻る。
弱・中導電体の偽貨FCが固定ガイドレール108上を転動した場合、偽貨FC内に発生する起電力は小さく、発生磁力は小さいので揺動レバー188は所定量回動されず、移動ガイドレール110はガイド位置GPに移動されない。
これにより、偽貨FCは固定ガイドレール108の下流側端からキャンセル通路に落下し、選別される。
【００３９】
次に連動被動片196及び連動押動片198を説明する。
連動被動片196及び連動押動片198は、支軸202に回動自在に支持されたクランク形の連動体204から上向きに突出形成されている。
揺動レバー188が所定量以上正貨TCによって回動された場合、押動片194によって連動被動片196が押されて連動体204は回動され、連動押動片198は被動縁180に近づく。したがって、連動押動片198が所定量以上回動された場合、被動縁180を押すので移動ガイドレール110はガイド位置GPへ移動される。
連動押動片198が後退した場合、移動ガイドレール110は自己モーメントによって待機位置SPに戻る。
本実施例1において連動機構114は傾斜補正機構206によってその位置を補正される。
【００４０】
次に傾斜補正機構206が主に図15を参照して説明される。
傾斜補正機構206は、硬貨選別装置100が傾斜された場合であっても、磁性体112の所定量以上の移動によってのみ移動ガイドレール110をガイド位置GPへ移動させる機能を有する。換言すれば、硬貨選別装置100が故意に移動通路106の傾斜を大きくする方向に傾けられて低・中導電性を有する偽貨FCによる磁性体112の回動によって正貨TCであると誤選別させる不正行為を防止する機能を有する。
本実施例1における傾斜補正機構206は、揺動レバー188と同軸に第2固定軸186に回動自在に支持された第2揺動レバー208に取り付けられている。第2揺動レバー208は、横向きチャンネル形に形成され、その上部コーナー部を第2固定軸186に揺動自在に支持され、その下端水平部の先端に上向きに支軸212が固定され、この支軸212に連動体204が支持されている。
【００４１】
この構成により、第2揺動レバー208は重力による自己モーメントによって垂下し、連動機構114を連動押動片198と被動縁180とが所定の位置関係に保たれるように保持する。
換言すれば、本体プレート132が、それ自身が存する平面内において傾けられた場合、第2揺動レバー208は自己モーメントによって回動し、垂下状態を維持して押動片194は連動被動片196に近づこうとする。
しかし、第2揺動レバー208も自己モーメントによって同方向に回動し、連動押動片198と連動被動片196との位置関係は変化しない。また、連動押動片198は被動縁180との相対位置が変化するが、被動縁180を長く形成することにより実質的に位置関係は変化しない。さらに換言すれば、硬貨選別装置100が故意に傾けられた場合であっても、正貨TCによって磁性体112が所定量移動されなければ、移動ガイドレール110はガイド位置GPへは移動されない。
【００４２】
次に正貨口116が主に図5を参照して説明される。
正貨口116は、移動ガイドレール110に続いて第2固定ガイドレール200上を転動した正貨TCが達する通路である。
正貨口116を通過した正貨TCは下方の金庫(図示せず)に収納される。
第2固定ガイドレール200は本体プレート132から側方に突出し、その上面は投入口102から遠ざかるほど下方に位置する前下がり傾斜に形成されている。
第2固定ガイドレール200に隣接して四方を囲まれて下方に延在する垂立通路201の下端が正貨口116である。
第2固定ガイドレール200の移動ガイドレール110側端部は、上方に突出する三角形の乗上突起210が形成されている(図20参照)。
これにより、移動ガイドレール110上を転動してきた硬貨Cは、乗上突起210を乗り越えて第2固定ガイドレール200を転動する。
乗上突起210の位置は、硬貨ストッパ121によって硬貨Cが転動を阻止されたとき、その登り斜面(前上がり斜面211)が当該硬貨Cに接するように設定されている。換言すれば、当該前上がり斜面211によって硬貨Cが移動ガイドレール110側へ逆向きに転動するように構成されている。硬貨ストッパ121によって転動を阻止された硬貨Cを移動ガイドレール110の突出すべき空間からキャンセル通路222へ落下させるためである。
【００４３】
次に正貨センサ118が主に図5を参照して説明される。
正貨センサ118は、正貨口116に進行する正貨TCを検知する機能を有する。
センサとしては機械式、光電式、磁気式等各種のセンサを用いることができる。
正貨センサ118からの検知信号は、正貨TCを一枚受け入れたことを示す。
【００４４】
次にキャンセル手段214が主に図3及び14を参照して説明される。
キャンセル手段214は、移動通路106において硬貨Cがジャム等により滞留した場合、返却口126に戻す機能を有する。
キャンセル手段214は、キャンセルボタン124、傾斜部216及びキャンセル通路222を含んでいる。
図10に示すように、傾斜部216は、キャンセルドア134のフロントプレート122側に形成され、フロントプレート122に近づくほど本体プレート132から遠ざかる方向に傾斜している。
キャンセルボタン124の先端である押動部218は半球形に形成されている。
キャンセルボタン124が押し込まれた場合、押動部218は傾斜部216を押すのでキャンセルドア134は本体プレート132から離れる方向に押しやられる。
これにより、図8に示すようにキャンセルドア134は軸166を支点に回動され、その下端部は本体プレート132から離れ、移動通路106は台形状に拡張される。
これにより、固定ガイドレール108及び第2固定ガイドレール200の端面から第2案内面141が硬貨Cの厚み以上はなされ、移動通路106に滞留している硬貨Cは重力により下方のキャンセル通路222に落下可能になる。
キャンセルボタン124の中間には、フロントプレート122の裏面に一端をスクリュウ228によって固定された板バネ229の他端が係止され、当該板バネ229によってフロントプレート102から前方へ向かって突出方向に付勢されている。
【００４５】
次にキャンセル通路222が主に図14を参照して説明される。
キャンセル通路222は、キャンセルされた硬貨Cを返却口126に戻す機能を有する。
キャンセル通路222は、本体プレート132の長辺部138とキャンセルガイドプレート224及びキャンセルガイドレール226とにより断面チャンネル形に構成され、返却口126から移動ガイドレール110の下方まで延在されている。
キャンセルガイドレール226は返却口126に向かって前下がりに形成されている。
したがって、移動ガイドレール110に案内されることなく固定ガイドレール108から落下し、又はキャンセルドア134を前記キャンセル位置CPに移動させることによりキャンセルされた硬貨Cはキャンセル通路222に落下し、キャンセル通路222において側面を長辺部138とキャンセルガイドプレート224に案内されつつキャンセルガイドレール226上を転動して返却口126へ戻される。
【００４６】
次に強磁性の偽貨FCの吸着装置232が主に図3を参照して説明される。
吸着装置232は、鉄等の強磁性材料により製作された偽貨FCを選別する機能を有する。
本実施例1において吸着装置232は投入口102近傍のキャンセルドア134の貫通孔230に先端を挿入され、スクリュウ231によって固定された永久磁石234である。
強磁性材料によって製造された偽貨FCは、投入口102に挿入した途端、永久磁石234によって吸着され、移動通路106に保持される。
永久磁石234に吸着された偽貨FCは、強磁性体キャンセル装置240によってキャンセルすることができる。
【００４７】
次に引き戻し防止装置246が主に図2及び14(A)を参照して説明される。
引き戻し防止装置246は、正貨センサ118を通過した正貨TCに天蚕糸などを結びつけて引き戻すことによる不正を防止する機能を有する。
引き戻し防止装置248は、本体プレート134に形成した軸受248に中間に形成された軸252を回動自在に支持された扇形の第2阻止片254を含んでいる。
第2阻止片254は通常自己モーメントにより正貨センサ118直前の垂立通路201に進出しているが、硬貨Cの通過の際、当該硬貨Cによって移動され、硬貨Cの通過を阻止しない。しかし、逆方向に硬貨Cが引き上げられた場合、当該引き上げられる硬貨Cによって同方向に回動され、当該硬貨Cを本体プレート132との間に挟んで通過を阻止する。
【００４８】
次にギザ検出手段120が主に図5を参照して説明される。
ギザ検出手段120は正貨TCの周面に形成されたギザGを検出する機能を有する。したがって、正貨TCがギザGを有しない場合、設ける必要はない。
実施例1におけるギザ検出手段120は、板状体からなる第2被動体256、回転体262及び係止体264を含んでいる。
第2被動体256は、その基端部258が回動体262から周方向に突出する係止体264に係止されている。
回動体262は丸リング形であって、本体プレート132から横向きに突出する第3固定軸266に回転自在に支持されている。
係止体264は断面矩形の棒状体である。
【００４９】
第2被動体256の基端部258には矩形の係止孔272が穿孔され、係止体264が貫通されている。
第2被動体256の中間は本体プレート132から横向きに突出する第1突起236の上面に載せられ、かつ、第2突起238及び第3突起242により上面を支えられ、所定の範囲でその伸張方向に移動可能に設けられている。
第2被動体256の先端272は、移動ガイドレール110上の硬貨Cの周面に対し所定の角度で接するように配置されている。
所定の角度とは、正貨TCのギザGの溝GCに第2被動体256の先端272が係止し、正貨TCの移動によって第2被動体256がその伸長方向に移動されて回動体262が図17(B)において反時計方向に回動される角度である。
換言すれば、第2被動体256と正貨TCの周面とのなす角度が小さい場合、溝GCに先端272が係止されたとしても第2被動体256は正貨TCの周面によって跳ね上げられてその伸長方向に移動されず、角度が大きい場合、正貨TCによって下向きに押し込まれてその伸長方向に移動することができない。
【００５０】
次に硬貨ストッパ121が主に図5を参照して説明される。
硬貨ストッパ121は、通常、移動通路106に位置して第2固定ガイドレール200を転動する正貨TCを阻止し、ギザ検出手段120、したがって第2被動体256が正貨TCのギザGによってその伸長方向に移動された場合、移動通路106から退出して正貨TCの正貨口116への移動を許す機能を有する。
【００５１】
硬貨ストッパ121は、回動体262から周方向に突出する棒体であって、通常状態においてその先端260が第2固定ガイドレール200上の正貨TCの接線に対し直角になる位置に配置されている。この位置は、係止体264が第3突起242に係止された位置である。従って、係止体264が第2被動体256によって移動され、回動体262が図5において時計方向に回動された場合、硬貨ストッパ121は移動通路106から退出して正貨TCの移動を許す(図21〜23参照)。逆に第2被動体256が伸長方向に移動されない場合、回動体262は回動されないので硬貨ストッパ121は移動通路106に止まったままであり、先端260が硬貨Cの転動を阻止する(図24参照)。
この場合、正貨TCであっても硬貨ストッパ121によって転動を阻止される。転動を阻止された硬貨Cは移動通路106に滞留するので、キャンセルボタン124を押すことによりキャンセルドア134がキャンセル位置CPへ移動された場合、当該正貨TCは移動通路106に保持されないので、キャンセル通路222に落下し、返却口126へ返却される。
【００５２】
次に硬貨ストッパ121の保持装置288が図5及び17を参照して説明される。
保持装置288は、硬貨ストッパ121を阻止位置SP2又は通過許可位置PPに保持する機能を有する。
本実施例1において、保持装置288は一端を本体プレート132から横向きに突出する円柱形のピン269に係止し、他端を回転体262の端面に形成された係止孔270に係止されたスプリング271によって構成されたスナップアクション機構273である。
詳述すれば、図5に示すように、係止体264が第3突起242に係止された場合、係止孔270はピン269と第3固定軸266との中心を結ぶ線Lよりも係止体264側に位置するよう設定されている。
これにより、スプリング271の付勢力は回転体262に対し時計方向に作用するので、係止体264は第3突起298に係止され続け、硬貨ストッパ121は阻止位置SP2に保持される。
回転体262が反時計方向に回動された場合、硬貨ストッパ121は第1突起236に係止され、係止孔270は直線Lよりも硬貨ストッパ121側に位置するよう設定されている。
これにより、スプリング271の付勢力は回転体262に対し反時計方向に作用するので、硬貨ストッパ121は第1突起236に係止され続け、硬貨ストッパ121は通過許可位置PPに保持される。
なお、図17に対し図20〜24のスプリング271は上下が逆に表示されているが、スプリング271は上下関係が逆になっても同様に作用する。
【００５３】
保持装置288は、復帰装置275を備える。
復帰装置275は、硬貨ストッパ121を通過許可位置PPから第2阻止位置SP2へ戻す機能を有する。
復帰装置275は、係止体264と硬貨ストッパ121との間の回転体262から周方向へ突出する棒状の復帰体277である。
復帰体277は、硬貨ストッパ121が第2阻止位置SP2に位置する場合、移動通路106から外れ、すなわち移動通路106の上方に待避し、通過許可位置PPに位置する場合、移動通路106に位置するように設定されている。
この構成により、硬貨ストッパ121が通過許可位置PPに位置することにより第２固定ガイドレール200上を転動してその下方を通過する正貨TCによって、復帰体277は押されるので、図5において回転体262は時計方向へ回動され、正貨TCを通過させる。
この回転体262の回動によって、硬貨ストッパ121は通過許可位置PPから第2阻止位置SP2に移動され、待機状態に戻される。
【００５４】
次に磁性体112の離隔装置274が主に図10及び15を参照して説明される。
離隔装置274は、キャンセルドア134のキャンセル位置CPへの移動に連動して磁性体112を移動通路106から離隔させる機能を有する。磁性体112の磁力に吸着されて移動通路106に保持される磁性を有する偽貨FCをキャンセルするためである。
本実施例1において離隔装置274は、離隔移動体276、離隔移動体支持装置278及びキャンセル連動装置280を含んでいる。
【００５５】
離隔移動体支持装置278は、本体プレート132の上端部に支持された軸166、離隔移動体276に形成した軸受286a、286b及び付勢体288を含んでいる。
軸受286a、286bは、軸受164bを密に挟んで取り付けられ、軸166に対しては回動可能であるが、軸方向にはスライド不能に取り付けられている。
軸受286a、286bは、横向きのスリット292a、292bが設けられ、当該スリット292a、292bを介して軸166を軸受部294a、294bに受け入れる。
離隔移動体276は軸受286a、286bに連続してそれらの下方に一体に形成され、移動通路106に対し直交方向に延在する軸孔296を有する軸受298が形成される。
この軸孔296に第2固定軸186が回動自在に挿入されている。
離隔移動体276は、付勢体288、本実施例ではスプリング302によって本体プレート132に近づくように付勢される。換言すれば、磁性体188も移動通路106に近づくように付勢されている。したがって、付勢体288は同様の機能を有する装置、例えば重り等に変更することができる。
【００５６】
次にキャンセル連動装置280が図10を参照して説明される。
キャンセル連動装置280は、キャンセルボタン124の押し込みに連動して離隔装置274、したがって磁性体112を移動通路106から離隔させる機能を有する。
キャンセル連動装置280は、フロントプレート122の背面に垂立状態に固定された軸282に中間の折曲部を回動自在に支持されたＬ形のレバー284を含んでいる。
【００５７】
レバー284はスプリング285によって図10において反時計方向に付勢され、通常状態において、被動部284aの先端は板バネ230の下端部に対し相対配置される。レバー284の移動部284bは、揺動レバー188の下方に延在する受け部290(図15参照)に、通常状態において近接して相対するよう本体プレート132に突き当てて静止される。
これによって、キャンセルボタン124が押された場合、板バネ230の下端によって被動部284aが押され、レバー284が図10において反時計方向へ回動される。
これにより、移動部284bは受け部290を反本体プレート132側に押すので、揺動レバー188は軸166を支点に図13において反時計方向に回動される。これにより、磁性体112は本体プレート132から離れる方向に移動されるので、磁性体112による移動通路106に存する硬貨Cへの磁力が減少し、当該磁力で保持されていた偽貨FCは、自重でキャンセル通路222に落下してキャンセルされる。
【００５８】
次に磁性体位置調整装置304が主に図15を参照して説明される。
磁性体位置調整装置304は、磁性体112の移動通路106との距離を調整する機能を有する。換言すれば、磁性体位置調整装置304は磁性体112と移動通路106を転動する硬貨Cとの距離を調整する機能を有する。
磁性体位置調整装置304は、離隔移動体276に形成されたねじ孔306及び当該ねじ孔306にねじ込んだ調整ねじ308を含んでいる。
調整ねじ308の先端は本体プレート132に形成された円形の平坦な台座312に突き当てられる。
したがって、調整ねじ308をねじ孔306にさらにねじ込んだ場合、離隔移動体276は軸166を支点に図15において反時計方向に回動され、結果として第2固定軸186を介して揺動レバー188も同方向へ回動されるので永久磁性体192は移動通路106から離される。
逆に調整ねじ308のねじ込み量を減少すれば永久磁性体192は移動通路106に近づけられる。
これにより、移動通路106を転動する硬貨Cに対する永久磁性体192の磁力が距離の二乗に比例して減少又は増加させることができる。
【００５９】
次に強磁性体キャンセル装置240が主に図16を参照して説明される。
強磁性体キャンセル装置240は、永久磁石234に吸着された強磁性体からなる偽貨FCが、キャンセルボタン124を押すことによってキャンセル通路222へ落下させられる機能を有する。
強磁性体キャンセル装置240は、第2ストッパ314の下端部に横向きに突出した第2阻止片316及び保持体318を含んでいる。
【００６０】
第2ストッパ314は、上端の軸孔322に軸166が貫通され、軸166と第2ストッパ314とが一体回動するように構成される。
第2阻止片316は、本体プレート134に形成された開口324に突出し、キャンセルドア314が選別位置APに位置する場合(図7の状態)、第2阻止片316の先端は開口324に位置し、移動通路106には突出していない。しかし、キャンセルドア134がキャンセル位置CP(図8の状態)に回動された場合、軸166を介して同方向に回動され、第2阻止片316の先端は移動通路106へ突出する。換言すれば、第2阻止片316が移動通路106に位置する場合、移動通路106は移動ガイドレール110の手前で閉止され、硬貨Cは正貨口116に到達することはできない。
【００６１】
次に保持体318が主に図16を参照して説明される。
保持体318は、キャンセルドア134がキャンセル位置CPへ移動される際、偽貨FCを移動通路106に保持する機能を有する。
保持体318は、変形Ｔ形をし、その水平部326、水平部326の中間から下向きに所定長延在する垂下部328及び水平部326の端部から上方に伸びる取付部332を含んでいる。
取付部332は、さらに水平部326及び垂下部328にオフセットされた固定部334を備えている。
固定部334は、硬貨Cの厚みよりも厚く、詳しくは投入口102の幅よりも僅かに厚く形成され、本体プレート１３２に固定される。
したがって、水平部326、垂下部328及び取付部332は、本体プレート134との間に硬貨Cの厚みよりも僅かに広い間隔で平行に配置されている。
なお、垂下部328の下端部は第1垂立面140に対し下側ほど間隔が広くなるように傾斜している。
【００６２】
開口322から突出した押動突起316によって硬貨Cが押された場合、垂下部338と押動突起316との間に挟まれないようにするためである。
永久磁石234によってキャンセルドア134に側に吸着されている偽貨FCは、キャンセルドア134のキャンセル位置CPへの移動に伴って移動されようとするが、保持体318の水平部326及び垂下部328によって阻止され、結果として永久磁石234から作用する磁力が減少して重力によってキャンセル通路222へ落下し、キャンセルされる。
【００６３】
次に本実施例1の作用を説明する。
稼働に先立ち、正貨TCを投入口102から投入して固定ガイドレール108上を転動する正貨TCによって磁性体112が同方向へ移動され、連動機構114を介して移動ガイドレール110がガイド位置GPへ安定して移動されるよう磁性体112の移動通路106に対する位置を決定する。具体的には、調整ねじ308をねじ孔306にねじ込み又はねじ戻すことにより永久磁性体192の移動通路106に対する距離を微調整する。
【００６４】
まず正貨TCが投入口102に投入されたケースを説明する。
投入口102に投入された正貨TCは、クレードル104において支持片154と直径規制体146との間に保持される。また、正貨TCの重量により図6において時計方向のモーメントが作用し、クレードル体144は同方向に回動される。
支持片154が正貨TCの重心の垂下位置付近に達したとき、正貨TCの重心は支持片154よりも固定ガイドレール108側になると共に直径規制体146の平面160に正貨TCが相対し、直径規制体146と支持片154との間隔がG1からG2に広がる。
これにより、正貨TCは固定ガイドレール108上に転がり落ちた後、固定ガイドレール108上を転動する(図9・18参照)。
【００６５】
この転動により、永久磁性体192の作用によって正貨TCの強導電性部である銅内に渦電流が発生し、この渦電流によって正貨TCは永久磁性体192と反対極性の磁力を生じる。
磁力を発生する正貨TCと永久磁性体192とは反発しあうので、正貨TCの固定ガイドレール108上の転動によって永久磁性体192は転動方向に移動させられ、揺動レバー188は図4において反時計方向に大きく回動され、図19の状態になる。
【００６６】
この回動過程において、押動片194は連動被動片196を押すので、連動体204は図10において反時計方向に回動され、図11の状態になる。
この回動により連動押動片198は移動ガイドレール110の被動縁190を押動する。
この押動によって移動ガイドレール110はガイド位置GPへ移動されるので、正貨TCは固定ガイドレール108に続いて移動ガイドレール110上を転動した後、第2固定ガイドレール200上を転動する。
移動ガイドレール110上を転動する正貨TCの周面に第2被動体256の先端272が当接し、ギザGの溝GCに係合する。これにより、第2被動体256はその伸張方向に移動され、係止体264を移動させる。
これにより、回動体262は図5において反時計方向に回動され、硬貨ストッパ121も同方向に回動され、移動通路106から退出する。したがって、正貨TCは第2固定ガイドレール200を転動して正貨口116に落下し、次いで金庫に収納される。
【００６７】
正貨TCが移動ガイドレール110上を転動する過程において、ギザGがギザ検出手段200によって検出される。
具体的には、第2被動体256の先端260がギザGの溝GCに係止され、第2被動体256は図5において左方向へ押される(図20参照)。
これにより、第2被動体256は第1突起236、第2突起238及び第3突起242によって案内されつつ同方向へ移動され、係止体264を介して回転体262を図5において反時計方向へ回動させる。
結果として、硬貨ストッパ121は通過許可位置PPへ移動され、復帰体277は移動通路106に位置する(図21参照)。
第2固定ガイドレール200上を転動する正貨TCは、復帰体277を押しやりつつ転動して回転体262を図22の位置から図23の位置へ回動させて通過し、垂立通路201へ落下する(図23参照)。
この回動によって、硬貨ストッパ121は第2阻止位置SP2に戻される。
【００６８】
正貨センサ118は正貨口116に落下する直前に正貨TCを検知し、検知信号を出力する。この検知信号は正貨TCが一枚金庫に収容されたことを意味する。
正貨TCによって回動された揺動レバー188は、重力による振り子運動をした後、垂下した待機位置SPに静止する。
硬貨CのギザGが無い場合、先端272は溝GCに係止されないので、第2被動体256は硬貨Cの周面に沿ってその頂部へ滑り上がるのみである(図24参照)。
この場合、係止体264は移動されないので、回動体262も回動されず、硬貨ストッパ121は移動通路106に保持される。
結果として硬貨Cは硬貨ストッパ121によって移動通路106に移動を阻止される。
硬貨Cが硬貨ストッパ121に移動を阻止された状態において、硬貨Cは前上がり斜面211上に位置し、移動ガイドレール110からは離れている。
これにより、移動ガイドレール110は自身のモーメントによって待機位置SPに戻る。
結果として、硬貨Cは前上がり斜面211の傾斜によって投入口102側へ転動するが、移動ガイドレール110が存在しないのでキャンセル通路222へ落下し、返却口126へ戻される。
換言すれば、周面にギザGが無い偽貨FCは正貨TCと選別される。
【００６９】
硬貨Cが硬貨ストッパ121によって阻止された状態において移動通路106に滞留した場合、キャンセルボタン124を押すことによるキャンセルドア134のキャンセル位置CPへの移動によって、一側面を支えられなくなるので自重によってキャンセル通路222へ落下させられる。
キャンセルされた偽貨FCは、キャンセル通路222を転動して返却口126に戻される。
【００７０】
硬貨選別装置100が移動通路106が含まれる平面内において傾けられた場合、揺動レバー188及び第2揺動レバー208は重力による垂下状態を維持する。
これにより、揺動レバー188と移動ガイドレール110の被動縁180との位置関係は変化するが、被動縁180と連動被動片196との位置関係は変化しないので(図19参照)、揺動レバー188が所定量以上回動しなければ移動ガイドレール110がガイド位置GPへ移動しないという位置関係は変化しない。よって、故意に硬貨選別装置100が傾けられた場合であっても、その傾きの影響を受けない利点がある。
【００７１】
次に直径及び重量が正貨TCと同一であるが、非導電性材料により製造された偽貨FCが投入されたケースを説明する。
非導電性の偽貨FCは、クレードル104の後、固定ガイドレール108上を転動するが、偽貨FC内に永久磁性体192による渦電流を生じないので磁界を生ずることが無い。
結果として、揺動レバー188は偽貨FCによって揺動されないので、偽貨FCは移動ガイドレール110上を転動することなく固定ガイドレール10かの下流端部からキャンセル通路222に落下した後、返却口126に返却される。
【００７２】
次に直径及び重量が正貨TCと同一であるが、弱・中導電性を有する偽貨FCが投入されたケースを説明する。
この場合、偽貨FCが固定ガイドレール108上を転動する際、永久磁性体192の磁力によって            偽貨FC内に渦電流が発生し、偽貨FCに磁界が発生するが、発生磁力は小さく、揺動レバー188の回動量は小さい。よって、移動ガイドレール110は連動機構114を介してガイド位置GPへ移動されない。結果として、前述の偽貨FCと同様にキャンセル通路222に落下して返却口126に返却される。
【００７３】
次に直径及び重量が正貨TCと同一であるが、非強導電性かつ非磁性を有する偽貨FCを投入されたケースを説明する。
非磁性の偽貨FCが固定ガイドレール108上を転動する際、永久磁性体192の磁力によって  偽貨FC内に渦電流は発生せず、また、磁界も有しないので永久磁性体192は吸引されることが無い。換言すれば、偽貨FCによって磁性体112は移動されないので移動ガイドレール110もガイド位置GPへ移動されない。
結果として偽貨FCは固定ガイドレール108から落下してキャンセル通路222を経由して返却口126へ戻される。
【００７４】
次に強磁性を有する偽貨FCを投入されたケースを説明する。
強磁性を有する偽貨FCが投入された場合、投入口102の近傍に配置されている永久磁石234によって吸着されてクレードル104へ進行できず、投入口102近傍の移動通路106に止められる。詳述すれば、偽貨FCは、保持体318の水平部326又は垂下部328と本体プレート132との間の移動通路106において停滞する。
永久磁石234によって吸着された偽貨FCは、キャンセルボタン124を押すことにより、キャンセルドア134をキャンセル位置CPへ移動させる。これにより、永久磁石234が偽貨FCから離れ、当該偽貨FCに作用する磁力が急激に減少するので偽貨FCはキャンセル通路222に落下してキャンセルされる。
【００７５】
次に強磁性を有する偽貨FCを投入され、別の板状体によって磁性体112の側方まで押し入れられたケースを説明する。
この場合、偽貨FCは、永久磁性体192の磁力によって引き付けて揺動レバ188を回動させ、連動機構114を介して移動ガイドレール110をガイド位置GPへ移動させることができる。
しかし、偽貨FCは永久磁性体192の磁力に引きつけられて本体プレート132に密着した状態で移動通路106に停滞する。
移動通路106に停滞した偽貨FCは、キャンセルボタン124を押すことにより、キャンセルドア134をキャンセル位置CPへ移動させる。これにより、偽貨FCはキャンセル通路222へ落下可能になる。
一方、レバー284は図10の位置から時計方向に回動されることにより受け部290を本体プレート132から離れる方向に押動され、図8に示すように反時計方向に回動させる。
これにより、永久磁性体192は移動通路106から離れるので偽貨FCに作用する磁力が急激に弱まり、当該偽貨FCは自重によりキャンセル通路222に落下する。
【００７６】
次に直径が正貨TCと同一であるが、軽量の偽貨FCが投入されたケースを説明する。
この場合、偽貨FCは直径規制体146と支持片154との間に載置されるが、重量が足りないため所定のモーメントが発生せず、クレードル104に載置された状態を継続するので、正貨TCと選別される。
クレードル104に載置された偽貨FCは、キャンセルボタン124を押すことにより、キャンセルドア134をキャンセル位置CPへ移動させる。これにより、クレードル104はキャンセルドア134と一体となって移動すると共に直径規制体146と支持片154の載置面は下向きに傾斜するので、偽貨FCはキャンセル通路222へ落下し、返却口126へ戻される。
【実施例２】
【００７７】
次に本発明に係る硬貨選別装置100の実施例2を説明する。
実施例2は、傾斜補正機構206を装備しない例である。換言すれば、連動機構114は、本体プレート132に固定される。
実施例2において、実施例1と同一機能部には同一符号を付し、説明を省略する。
実施例2は、硬貨選別装置100を装着した機器がアンカーボルト等によって床面等に固定され、故意に当該機器を傾斜できない場合に有効である。
実施例2の硬貨選別装置100においては、傾斜補正機構206が装着されないので安価に構成できる利点がある。
【００７８】
実施例2において、連動機構198の支軸212は、本体プレート182に位置調整可能に取り付けられたブラケット334に立設されている。ブラケット334は、横向きに形成れた長孔336を貫通して本体プレート182にねじ込まれたスクリュウ338によって、所定の位置に固定される。換言すれば、支軸212の位置はブラケット334の取付位置を調整することにより最適位置に固定される。
揺動レバー188の押動片194が連動被動片196を押動した場合、連動体204が回動されて連動押動片198が被動縁180を押動する。
これにより、移動ガイドレール110はガイド位置GPに移動される。
作用・効果は、実施例1と同様である。
揺動レバー188が相対する本体プレート132の裏面に第2固定軸186を中心とする突条336が放射状に複数本形成されている。
投入口102から挿入した強磁性体によって揺動レバー188を揺動させて移動ガイドレール110をガイド位置GPへ移動させる不正行為を阻止するためである。
すなわち、揺動レバー188は当該強磁性体に吸引されて本体プレート132の背面に密着し、本体プレート132の背面に形成した突起(図示せず)が突条336に係止されることにより、揺動レバー188が不正に移動されないようにしている。
【産業上の利用可能性】
【００７９】
本発明は、非磁性及び強導電性を有する硬貨の選別装置として使用することができる。
【符号の説明】
【００８０】
C    硬貨
FC  偽貨
100  硬貨選別装置  
102  投入口
104  クレードル
106  移動通路
110  移動ガイド
112  磁性体
114  連動機構
140、141  垂立案内面
【図１】
2011145741.tif 000003
【図２】
2011145741.tif 000004
【図３】
2011145741.tif 000005
【図４】
2011145741.tif 000006
【図５】
2011145741.tif 000007
【図６】
2011145741.tif 000008
【図７】
2011145741.tif 000009
【図８】
2011145741.tif 000010
【図９】
2011145741.tif 000011
【図１０】
2011145741.tif 000012
【図１１】
2011145741.tif 000013
【図１２】
2011145741.tif 000014
【図１３】
2011145741.tif 000015
【図１４】
2011145741.tif 000016
【図１５】
2011145741.tif 000017
【図１６】
2011145741.tif 000018
【図１７】
2011145741.tif 000019
【図１８】
2011145741.tif 000020
【図１９】
2011145741.tif 000021
【図２０】
2011145741.tif 000022
【図２１】
2011145741.tif 000023
【図２２】
2011145741.tif 000024
【図２３】
2011145741.tif 000025
【図２４】
2011145741.tif 000026
【図２５】
2011145741.tif 000027
【図２６】
2011145741.tif 000028